(57)【特許請求の範囲】
【請求項１】
中心を除いて中心から放射状に配置された、且つ、互いに同じ光源レイアウトであって、互いに部分的に重なるように配置された、発光素子を有する複数の第１の光源と、各々発光素子を有しており、前記第１の光源の周囲に設けられているとともに、前記第１の光源から放射される光より高い色温度を有する光を放射する複数の第２の光源と、を有する複数の発光領域と、
前記複数の第２の光源の上方に設けられているとともに、平面視において前記複数の第２の光源を囲んでいる光反射面と、を備え、
前記光反射面が、
前記複数の第２の光源に最も近い第１の光反射領域と、
前記第１の光反射領域より前記複数の第２の光源から遠い位置に設けられた第２の光反射領域と、を有し、
前記第１の光反射領域が、前記第２の光反射領域より粗い表面性状を有していることを特徴とする照明器具。
【請求項２】
透光性を有しているとともに、前記第１の光反射領域と前記第２の光反射領域との間に設けられたカバー部材をさらに備えていることを特徴とする請求項１記載の照明器具。
【請求項３】
前記カバー部材が、前記第１の光源および前記複数の第２の光源に対向している内側表面と、前記内側表面より粗い表面性状を有している外側表面とを有していることを特徴とする請求項２記載の照明器具。
【発明の詳細な説明】
【技術分野】
【０００１】
本発明は、例えば発光ダイオードなどの発光素子を有する照明器具に関するものである。
【背景技術】
【０００２】
近年、例えば発光ダイオードなどの発光素子を有する照明器具の開発が進められている。発光素子を有する照明器具は、低消費電力化または製品の長寿命化の観点において有利なものであり、従来の照明器具に代わって普及することが期待されている。
【発明の概要】
【０００３】
従来の照明器具は、一般的に、単一の光源を有している。しかしながら、現在開発が進められている発光素子を有する照明器具は、複数の光源を含んでおり、例えば照明空間における快適性などに関してさらなる改善が求められている。
【０００４】
本発明の一つの態様によれば、照明器具は、第１の発光領域と、第１の発光領域の周囲に設けられた第２の発光領域とを含んでいる。第１の発光領域は、各々発光素子を有する複数の第１の光源を含んでいる。第２の発光領域は、各々発光素子を有している複数の第２の光源を含んでいる。複数の第２の光源は、複数の第１の光源から放射される光より高い色温度を有する光を放射する。
【０００５】
本発明の他の態様によれば、照明器具は、放射状領域と、放射状領域の間に設けられた複数の介在領域とを含んでいる。放射状領域は、各々発光素子を有する複数の光源を含んでいる。複数の介在領域は、各々発光素子を有している複数の光源を含んでいる。
【図面の簡単な説明】
【０００６】
【図１】本発明の第１の実施形態における照明器具を示す斜視図である。
【図２】図１に示された照明器具の取り付け構造例を示す断面図である。
【図３】図１に示された照明ユニット１００の斜視図を示している。
【図４】図３に示された発光面を示す平面図である。
【図５】図３に示された第１の光源１１を示す斜視図である。
【図６】図３に示された発光面を示す平面図である。
【図７】図３に示された発光面を示す平面図である。
【図８】図１に示された照明ユニット１００の配光を模式的に示している。
【図９】本発明の第２の実施形態の照明器具における照明ユニット１００を示す断面図である。
【図１０】図９に示された第１の光反射面３を模式的に示す斜視図である。
【図１１】図１０に示された第１の光反射面３の平面図である。
【図１２】図９に示された第２の光反射面４を模式的に示す斜視図である。
【図１３】図１２に示された第２の光反射面４の平面図である。
【図１４】本発明の第３の実施形態の照明器具における照明ユニット１００を示す断面図である。
【図１５】本発明の第４の実施形態の照明器具における照明ユニット１００の斜視図を示している。
【図１６】図１５に示された第３の光反射面５における光の反射を模式的に示している。
【図１７】本発明の第５の実施形態の照明器具における照明ユニット１００を示している。
【図１８】本発明の第６の実施形態の照明器具における照明ユニット１００を示している。
【図１９】本発明の第７の実施形態の照明器具における照明ユニット１００を示している。
【図２０】図１９に示された照明ユニット１００の平面図を示している。
【図２１】図１９に示された照明ユニット１００の他の例における平面図を示している。
【発明を実施するための最良の形態】
【０００７】
以下、本発明のいくつかの例示的な実施形態について図面を参照して説明する。【０００８】
（第１の実施形態）
図１に示されているように、本発明の第１の実施形態における照明器具は、照明ユニット１００と、照明ユニット１００に電気的に接続された電源ユニット２００とを含んでいる。図１において、照明器具は、仮想のｘｙｚ空間のｘｙ平面に取り付けられている。図１において、上方向とは、仮想のｚ軸の正方向のことをいう。照明器具は、図２に示されているように、例えば、天井埋め込み型のダウンライトである。図２に示された照明器具において、内部構造の一部分が省略されている。【０００９】
図３および図４に示されているように、照明ユニット１００は、第１の発光領域１および第２の発光領域２を含む発光面を有している。図３および図４において、第１の発光領域１および第２の発光領域２の境界が、仮想の破線によって示されている。第１の発光領域１は、仮想の破線の内側の領域である。第２の発光領域２は、仮想の破線の外側の領域である。照明器具は、複数の第１の光反射面３、複数の第２の光反射面４および第３の光反射面５をさらに含んでいる。【００１０】
第１の発光領域１は、複数の第１の光源１１を含んでいる。複数の第１の光源１１は、二次元に配置されている。複数の第１の光源１１の各々は、例えば、電球色光を放射する。複数の第１の光源１１の各々は、例えば、２８００ケルビン［Ｋ］の色温度を有する光を放射する。【００１１】
第１の光源１１は、図５に示されているように、基体１１１と、発光素子１１２と、波長変換部材１１３とを含んでいる。図５において、第１の光源１１の一部分の構成は、内部構造を示すことを目的に、透視した状態で、点線によって示されている。図５において、第１の光源１１は、仮想のｘ’ｙ’ｚ’空間におけるｘ’ｙ’平面に実装されている。第１の光源１１の光出射方向は、仮想のｚ’軸の正方向である。図５において、上方向とは、仮想のｚ’軸の正方向である。第１の光源１１は、発光素子１１２を有する発光装置である。【００１２】
発光素子１１２は、基体１１１に実装されている。発光素子１１２は、例えば、半導体材料を含む発光ダイオードである。発光素子１１２は、駆動電力に応じて第１次光を放射する。第１次光は、紫外領域に含まれる波長を有している。【００１３】
波長変換部材１１３は、発光素子１１２の上方に設けられており、発光素子１１２を覆っている。波長変換部材１１３は、発光素子１１２から放射された第１次光に応じて第２次光を放射する。波長変換部材１１３は、マトリクス部材および複数の蛍光粒子を含んでいる。マトリクス部材は、例えば、シリコーン樹脂を含んでいる。複数の蛍光粒子は、発光素子１１２から放射された第１次光によって励起される。【００１４】
再び図３および図４を参照して、第２の発光領域２は、第１の発光領域１の周囲に設けられている。第２の発光領域２は、第１の発光領域１を囲んでいる。第２の発光領域２は、複数の第２の光源２１を含んでいる。複数の第２の光源２１は、二次元に配置されている。複数の第２の光源２１は、環状に配置されているとともに、複数の第１の光源１１を囲んでいる。複数の第２の光源２１の各々は、例えば、昼白色光を放射する。複数の第２の光源２１の各々は、例えば、５０００ケルビン［Ｋ］の色温度を有する光を放射する。【００１５】
第２の光源２１において、図５に示された第１の光源１１と異なる構成は、波長変換部材１１３に含まれている複数の蛍光粒子である。他の構成は、第１の光源１１と同様である。第２の光源２１の複数の蛍光粒子は、蛍光材料の種類に関して、第１の光源１１の複数の蛍光粒子と異なっている。第２の光源２１の複数の蛍光粒子は、第２の光源２１から放射される光が例えば５０００ケルビン［Ｋ］の色温度を有するように、蛍光材料の混合に関して設計されている。【００１６】
第１の光源１１と第２の光源２１とが、同時に発光することが可能なように、照明器具の回路が設計されている。【００１７】
第１の光源１１における発光素子２１と第２の光源２１における発光素子２１とは、例えば同じ種類の発光ダイオードである。第１の光源１１および第２の光源２１は、各々の波長変換部材１１３における蛍光材料の種類に関して異なっている。このように、第１の光源１１および第２の光源２１は、互いの発光素子２１が同じ種類の発光ダイオードである場合にも、各々の波長変換部材１１３における蛍光材料の種類に関して異なっている。【００１８】
上述のように、第１の光源１１および第２の光源２１の一つの例は、発光ダイオードランプである。第１の光源１１および第２の光源２１の他の例としては、有機エレクトロルミネッセンス（有機ＥＬ）がある。【００１９】
複数の第１の光反射面３は、複数の第１の光源１１に対応して設けられている。複数の第１の光反射面３は、二次元に配置されている。第１の光反射面３は、第１の光源１１を囲んでいる。第１の光反射面３は、例えば、アルミニウム（Ａｌ）を含んでいる。【００２０】
複数の第２の光反射面４は、複数の第２の光源２１に対応して設けられている。複数の第２の光反射面４は、二次元に配置されている。複数の第２の光反射面４は、複数の第１の光反射面３の周囲に設けられている。複数の第２の光反射面４は、環状に配置されている。第２の光反射面４は、例えば、アルミニウム（Ａｌ）を含んでいる。【００２１】
第３の光反射面５は、第１の発光領域１および第２の発光領域２を囲んでいる。第３の光反射面５は、第１の発光領域１および第２の発光領域２よりさらに照明器具の光出射方向に設けられている。照明器具の光出射方向とは、仮想のｚ軸の負方向である。第３の光反射面５は、少なくとも第２の光源２１から放射された光が届く位置に設けられている。【００２２】
図６を参照して、照明ユニット１００の発光面についてさらに説明する。発光面は、放射状領域６１と、放射状領域６１の間に設けられた複数の介在領域６２とを含んでいる。【００２３】
“放射状領域”とは、発光面の中心を基準位置として複数の方向へ延在している領域のことをいう。本実施形態において、放射状領域６１は、発光面の中心を基準位置として６つの方向へ延在している。放射状領域６１の中心６１１は、発光面の中心と一致している。【００２４】
“介在領域”とは、放射状領域の間に位置する領域のことをいう。本実施形態において、複数の介在領域６２は、６つの方向へ延在している放射領域６１の間の６つの位置に設けられている。【００２５】
図６における部分拡大図に示されているように、放射状領域６１および介在領域６２の各々は、第１の光源１１と、発光面の中心を基準として第１の光源より外側に設けられた第２の光源２１とを含んでいる。第２の光源２１は、第１の光源から放射される光より高い色温度を有する光を放射する。介在領域６２は、第１の光源１１を頂点とする三角形状を有しており、三角形状の底辺部分に複数の第２の光源２１が配置されている。【００２６】
放射状領域６１は、複数の第１の光源１１と、複数の第１の光源から放射される光より高い色温度を有する光を放射する複数の第２の光源２１とを含んでいる。複数の介在領域６２の各々は、複数の第１の光源１１と、複数の第２の光源２１とを含んでいる。【００２７】
放射状領域６１の複数の第１の光源１１と複数の介在領域６１の複数の第１の光源１１とが、放射状領域６１の中心６１１を基準として同心円状に配置されている。放射状領域６１の複数の第２の光源２１と複数の介在領域６２の複数の第２の光源２１とが、中心６１１を基準として同心円状に配置されている。【００２８】
図７を参照して、照明ユニット１００の発光面についてさらに説明する。発光面は、放射状に配置された複数のサブ発光領域７１を含む発光領域を有している。複数のサブ発光領域７１は、互いに同じ光源レイアウトを有しているとともに、互いに部分的に重なるように配置されている。複数のサブ発光領域７１が重なる発光面の中心には、光源が設けられていない。サブ発光領域７１は、発光面の中央部に位置する複数の第１の光源１１と、発光面の周辺部に位置する複数の第２の光源２１とを含んでいる。複数の第２の光源２１は、複数の第１の光源１１より高い色温度の光を放射する。【００２９】
図３および図４に示されていたように、本実施形態における照明器具において、照明ユニット１００は、複数の第１の光源１１より色温度の高い光を放射する複数の第２の光源２１が、複数の第１の光源１１を囲むように、第１の発光領域１の周辺に設けられていることにより、本実施形態における照明器具は、より色温度の高い光源によって発光面の輪郭部分が構成されている。従って、本実施形態における照明器具は、照明空間の快適性に関して向上されている。【００３０】
図６に示されていたように、本実施形態の照明器具において、照明ユニット１００は、放射状領域６１と複数の介在領域６２を含んでいることにより、本実施形態における照明器具は、例えば光のグレアに関して低減させることができ、照明空間の快適性に関して向上されている。【００３１】
本実施形態の照明器具において、放射状領域６１が、複数の第１の光源１１と、複数の第１の光源から放射される光より高い色温度を有する光を放射する複数の第２の光源２１とを含んでいるとともに、複数の介在領域６２の各々が、複数の第１の光源１１と、複数の第２の光源２１とを含んでいることにより、本実施形態における照明器具は、異なる色温度の複数の光の混合に関して改善されており、照明空間の快適性に関して向上されている。【００３２】
本実施形態の照明器具において、放射状領域６１の複数の第１の光源１１と複数の介在領域６１の複数の第１の光源１１とが、放射状領域６１の中心６１１を基準として同心円状に配置されているとともに、放射状領域６１の複数の第２の光源２１と複数の介在領域６２の複数の第２の光源２１とが、中心６１１を基準として同心円状に配置されていることにより、本実施形態における照明器具は、例えば発光むらなどに関して低減されており、照明空間の快適性に関して向上されている。【００３３】
図７に示されていたように、本実施形態の照明器具において、照明ユニット１００は、互いに同じ光源レイアウトを有しているとともに互いに部分的に重なるように配置された複数のサブ発光領域７１を含んでいることにより、本実施形態における照明器具は、例えば発光むらなどに関して低減されており、照明空間の快適性に関して向上されている。【００３４】
図８に模式的に示されているように、本実施形態における照明器具において、第２の発光領域２から放射された光は、第３の光反射面５によって反射される。従って、第１の発光領域１から放射された光と第２の発光領域２から放射された光とが混合されることにより、本実施形態における照明器具は、例えば発光むらなどに関して低減されており、照明空間の快適性に関して向上されている。【００３５】
本実施形態における照明器具は、第１の光源１１および第２の光源２１に関して各々の配置領域を有している。具体的には、複数の第１の光源１１が、第１の発光領域１に集められているとともに、複数の第２の光源２１が、第２の発光領域２に集められている。従って、本実施形態における照明器具は、発光面が視界に入る場合にも違和感に関して低減されている。例えば照明分野において、各々異なる色温度を有する光を放射する複数の光源が複雑に配置されている照明器具は、人間の視界において違和感を与える傾向がある。【００３６】
（第２の実施形態）
図９を参照して、本発明の第２の実施形態における照明器具について説明する。本実施形態の照明器具において、第１の実施形態における照明器具と異なる点は、複数の第１の光反射面３および複数の第２の光反射面４の形状である。その他の構成は、第１の実施形態における照明器具と同様である。【００３７】
本実施形態の照明器具において、複数の第２の光反射面４は、複数の第１の光反射面３とは異なる形状を有している。複数の第２の光反射面４は、縦断面形状において、複数の第１の光反射面３とは異なる形状を有している。複数の第１の光反射面３は、複数の第１の光源１１に対応して設けられているとともに、複数の第２の光反射面４は、複数の第２の光源２１に対応して設けられている。複数の第２の光源は、複数の第１の光源から放射される光より色温度の高い光を放射する。【００３８】
図１０に示されているように、第１の光反射面３の各々は、例えば、仮想のｘ''ｙ''ｚ''座標において、ｚ''軸を中心に曲線を回転させた軸回転対称の形状を有している。軸回転対称の形状とは、仮想の座標において、図形を一つの軸を中心に回転させたときに、回転前および回転後において相違のない形状をいう。第１の光反射面３は、仮想のｘ''ｙ''ｚ''座標において、ｚ''軸を中心に放物線を回転させてできる放物面の一部分の形状を有している。第１の光源１１は、放物面である第１の光反射面３の焦点に設けられている。【００３９】
図１１に示されているように、第１の光反射面３は、平面視において、回転対称な形状を有している。平面視とは、図１０において、符号３００で示されている視線による視野のことをいう。回転対称な形状とは、仮想のｘ''ｙ''座標において、図形を原点を中心に回転させたときに、回転前および回転後において相違のない形状をいう。第１の光反射面３は、平面視において、円形状を有している。第１の光源１１は、仮想のｘ''ｙ''座標の原点に設けられている。【００４０】
図１２および図１３に示されているように、第２の光反射面４は、第１の光反射面３とは異なる形状を有している。第２の光反射面４は、平面視において、第１の光反射面３とは異なる形状を有している。図１３に示されているように、第２の光反射面４は、平面視において、非回転対称な形状を有している。平面視とは、図１２において、符号４００で示されている視線による視野のことをいう。非回転対称な形状とは、仮想のｘ''ｙ''座標において、図形を原点を中心に回転させたときに、回転前および回転後において一致しない形状をいう。【００４１】
本実施形態の照明器具において、複数の第２の光反射面４は、複数の第１の光反射面３とは異なる形状を有していることにより、本実施形態における照明器具は、異なる色温度の複数の光の混合に関して改善されており、照明空間の快適性に関して向上されている。【００４２】
（第３の実施形態）
図１４を参照して、本発明の第３の実施形態における照明器具について説明する。本実施形態の照明器具において、第２の実施形態における照明器具と異なる点は、発光面の構造である。その他の構成は、第２の実施形態における照明器具と同様である。【００４３】
本実施形態の照明器具において、第１の光反射面３と第２の光反射面４とは、深さが異なる。光反射面の深さとは、仮想のｚ軸方向における光反射面の上端および下端の間の距離のことをいう。第２の発光領域２の第２の光反射面４は、第１の発光領域１の第１の光反射面３より浅い。複数の第１の光反射面３および複数の第２の光反射面４は、発光面の中心１０１を基準に外側に向かうに伴って浅くなっている。発光面は、中心１０１を頂点として全体的に曲面状に隆起した形状を有している。複数の第１の光源１１が、複数の第１の光反射面３の内側に設けられているとともに、複数の第２の光源２１が、複数の第２の光反射面４の内側に設けられている。複数の第２の光源２１は、複数の第１の光源から放射される光より色温度の高い光を放射する。【００４４】
本実施形態の照明器具において、第１の光反射面３および第２の光反射面４が、深さに関して異なることにより、本実施形態における照明器具は、異なる色温度の複数の光の混合に関して改善されており、照明空間の快適性に関して向上されている。【００４５】
（第４の実施形態）
図１５を参照して、本発明の第４の実施形態における照明器具について説明する。本実施形態の照明器具において、第１の実施形態における照明器具と異なる点は、第３の光反射面５の構造である。その他の構成は、第１の実施形態における照明器具と同様である。【００４６】
本実施形態の照明器具において、第３の光反射面５は、第１の光反射領域５１および第２の光反射領域５２を有している。第１の光反射領域５１は、第３の光反射面５の全領域において、第２の発光領域２に最も近い位置に設けられている。図１５において、第１の光反射領域５１は、第３の光反射面５の全領域において、仮想のｚ軸の最も正方向に設けられている。第１の光反射領域５１は、アルミニウム（Ａｌ）を含んでいる。第２の光反射領域５２は、第１の光反射領域５１より第２の発光領域２から遠い位置に設けられている。第２の光反射領域５２は、第１の光反射領域５１より粗い表面性状を有している。例示的な第２の光反射領域５２は、白色の塗料面を有している。【００４７】
第１の光反射領域５１の例示的な算術平均粗さＲａは、０．０１μｍから０．２μｍまでの範囲に含まれる。第２の光反射領域５２の例示的な算術平均粗さＲａは、０．２μｍから５０μｍまでの範囲に含まれる。【００４８】
図１６に示されているように、本実施形態の照明器具は、塗装によって粗面化された第２の光反射領域５２を有している。従って、本実施形態における照明器具は、光のグレアに関して低減されている。具体的には、第２の光反射領域５２が粗面化されていることにより、第２の光反射領域５２における光の正反射が低減されている。【００４９】
本実施形態における照明器具は、第３の光反射面５において第２の発光領域２に最も近い位置に第１の光反射領域５１を有している。第１の光反射領域５１は、第２の光反射領域５２より滑らかな表面性状を有している。第２の発光領域２から第１の光反射領域５１に直接届く光は、第１の光反射領域５１において正反射される可能性が高められている。従って、本実施形態の照明器具は、発光面から放射される光の強度分布のむらに関して低減されている。特に、第１の発光領域１および第２の発光領域２の両方から光が放射される場合に、より色温度の高い光がより小さい表面性状を有する第１の光反射領域５１によって反射されることにより、本実施形態における照明器具は、配光分布のむらに関して低減されている。【００５０】
（第５の実施形態）
図１７を参照して、本発明の第５の実施形態における照明器具について説明する。本実施形態の照明器具において、第１の実施形態における照明器具と異なる点は、第３の光反射面５の構造である。その他の構成は、第１の実施形態における照明器具と同様である。【００５１】
本実施形態の照明器具において、第３の光反射面５は、第１の光反射領域５１および第２の光反射領域５２を有している。第１の光反射領域５１は、第３の光反射面５の全領域において、第２の発光領域２に最も近い位置に設けられている。第２の光反射領域５２は、第１の光反射領域５１より第２の発光領域２から遠い位置に設けられている。【００５２】
本実施形態の照明器具において、第１の光反射領域５１は、第２の光反射領域５２より粗い表面性状を有している。第１の光反射領域５１の例示的な算術平均粗さＲａは、０．２μｍから５０μｍまでの範囲に含まれる。第２の光反射領域５２の例示的な算術平均粗さＲａは、０．０１μｍから０．２μｍまでの範囲に含まれる。【００５３】
第２の発光領域２から放射された光の一部は、第１の光反射領域５１によって散乱されるように反射される。すなわち、第２の発光領域２から放射された光の一部は、第１の光反射領域５１によって乱反射される。従って、本実施形態における照明器具は、光照射面において、第２の発光領域２から放射された光の輪郭の明確さが低減されている。ここで、光照射面とは、例えば、照明器具から光放射方向に所定の距離を離れた面のことをいう。光照射面は、例えば、照明器具が設置される空間における床面などである。このように、本実施形態における照明器具は、快適な照明空間を実現することができる。【００５４】
（第６の実施形態）
図１８を参照して、本発明の第６の実施形態における照明器具について説明する。本実施形態の照明器具において、第５の実施形態における照明器具と異なる点は、カバー部材６をさらに含んでいることである。その他の構成は、第５の実施形態における照明器具と同様である。【００５５】
本実施形態の照明器具において、カバー部材６は、第１の発光領域１および第２の発光領域２を覆っており、透光性を有している。ここで、“透光性”とは、第１の発光領域１および第２の発光領域２を含む発光面から放射された光の少なくとも一部の波長が透過できることをいう。例示的なカバー部材６は、実質的にアクリル樹脂からなる。【００５６】
第２の発光領域２から放射された光の一部は、第１の光反射領域５１によって散乱されるように反射される。第１の光反射領域５１によって乱反射された光は、カバー部材６によってさらに散乱されて照明器具から放射される。従って、他の実施形態における照明器具は、光照射面において、第２の発光領域２から放射された光の輪郭の明確さが低減されている。このように、本実施形態における照明器具は、快適な照明空間を実現することができる。【００５７】
（第７の実施形態）
図１９を参照して、本発明の第７の実施形態における照明器具について説明する。本実施形態の照明器具において、第１の実施形態における照明器具と異なる点は、カバー部材６をさらに含んでいることである。その他の構成は、第１の実施形態における照明器具と同様である。【００５８】
図１９の部分拡大部に示されているように、本実施形態の照明器具において、カバー部材６は、発光面に対向している内側表面６１と、外側表面６２とを有している。外側表面６２は、内側表面６１より粗い表面性状を有している。外側表面６２の例示的な算術平均粗さＲａは、０．２μｍから５０μｍまでの範囲に含まれる。内側表面６１の例示的な算術平均粗さＲａは、０．０１μｍから０．２μｍまでの範囲に含まれる。【００５９】
本実施形態の照明器具において、外側表面６２が内側表面６１より粗い表面性状を有していることにより、カバー部材６から外側へ放射される光が散乱される。従って、本実施形態における照明器具は、光照射面において、第２の発光領域２から放射された光の輪郭の明確さが低減されている。このように、本実施形態における照明器具は、快適な照明空間を実現することができる。【００６０】
図２０において、カバー部材６の外側表面６２において粗面化されている領域がドット模様によって示されている。粗面化された領域は、第１の発光領域１および第２の発光領域２を含む発光面の全体に対応している。図２０において、第１の発光領域１は、仮想の破線の内側領域であり、第２の発光領域は、仮想の破線の外側領域である。【００６１】
図２１を参照して、本実施形態の照明器具におけるカバー部材６の他の例を説明する。図２１に示された他の例において、図２０に示されたカバー部材６と異なる点は、粗面化されている領域である。カバー部材６は、外側表面６２における第１の発光領域１に対応する領域において粗面化されている。図２１において、カバー部材６の外側表面６２において粗面化されている領域がドット模様によって示されている。図２１において、第１の発光領域１は、仮想の破線の内側領域であり、第２の発光領域は、仮想の破線の外側領域である。この実施形態において、内側領域を第１領域、外側領域を第２領域とする。【００６２】
第１領域は、第２領域より粗い表面性状を有している。第１領域の例示的な算術平均粗さＲａは、０．２μｍから５０μｍまでの範囲に含まれる。第２領域の例示的な算術平均粗さＲａは、０．０１μｍから０．２μｍまでの範囲に含まれる。【００６３】
本実施形態における照明器具において、第１領域が第２領域より粗い表面性状を有していることにより、第１の発光領域１から放射された光が散乱される。従って、本実施形態における照明器具は、光照射面において、第１の発光領域１から放射された光の輪郭の明確さが低減されている。さらに、第２領域は第１領域より滑らかな表面性状を有していることにより、第２の発光領域２から放射された光の損失が低減されている。従って、本実施形態における照明器具は、光照射面に放射される光の量が増大されている。このように、本実施形態における照明器具は、快適な照明空間を実現することができる。
【図１】
0005574976.tif 000002
【図２】
0005574976.tif 000003
【図３】
0005574976.tif 000004
【図４】
0005574976.tif 000005
【図５】
0005574976.tif 000006
【図６】
0005574976.tif 000007
【図７】
0005574976.tif 000008
【図８】
0005574976.tif 000009
【図９】
0005574976.tif 000010
【図１０】
0005574976.tif 000011
【図１１】
0005574976.tif 000012
【図１２】
0005574976.tif 000013
【図１３】
0005574976.tif 000014
【図１４】
0005574976.tif 000015
【図１５】
0005574976.tif 000016
【図１６】
0005574976.tif 000017
【図１７】
0005574976.tif 000018
【図１８】
0005574976.tif 000019
【図１９】
0005574976.tif 000020
【図２０】
0005574976.tif 000021
【図２１】
0005574976.tif 000022